(57)【要約】      （修正有）【課題】トイレットペーパーに対して充分な殺菌と消毒を行い、且つ構造が簡単な紫外線全方位殺菌トイレットペーパー収納筒を提供する。【解決手段】収納筒ケース１とその内部に設けられた収納筒軸２とを有し、前記収納筒ケース１の内側の円周面には、複数の紫外線灯３が均一な間隔でリング状に並べられ、該紫外線灯３は、紫外線チューブや紫外線バルブや紫外線ダイオード（Ｕｌｔｒａ  Ｖｉｏｌｅｔ  ＬＥＤ）のような紫外線を発生できるものとする。紫外線灯のそれぞれの後側に反射体を設け、該反射体は、アルミニウム箔、アルミニウムフィルムや、その他の反射体で形成する。該反射体は、紫外線を効率よく反射及び散乱し、トイレットペーパー６に対する照射強度を向上させる機能を有する。前記トイレットペーパー収納筒はさらに給電システムを備え、各紫外線灯３は該給電システムにそれぞれ連結される。該給電システムは交流電源、バッテリ、太陽エネルギーであっても良い。【選択図】図２
0003146285.tif 000002
【実用新案登録請求の範囲】
【請求項１】
収納筒ケースとその内部に設けられた収納筒軸とを有する紫外線全方位殺菌トイレットペーパー収納筒であって、該トイレットペーパー収納筒は、さらに給電システムを有し、前記収納筒ケースの内側の周面には、複数の紫外線灯が均一な間隔でリング状に並べられ、前記紫外線灯のそれぞれは、該給電システムに連結されることを特徴とする紫外線全方位殺菌トイレットペーパー収納筒。
【請求項２】
前記紫外線灯は、紫外線チューブ、紫外線バルブ、紫外線ダイオードのうちのいずれかであることを特徴とする請求項１に記載の紫外線全方位殺菌トイレットペーパー収納筒。
【請求項３】
前記紫外線灯のそれぞれの後側には、反射体が設けられることを特徴とする請求項１又は２に記載の紫外線全方位殺菌トイレットペーパー収納筒。
【請求項４】
前記反射体は、アルミニウム箔又はアルミニウムフィルムからなることを特徴とする請求項３に記載の紫外線全方位殺菌トイレットペーパー収納筒。
【請求項５】
前記給電システムは、交流電源、バッテリまたは太陽エネルギーであることを特徴とする請求項１又は２に記載の紫外線全方位殺菌トイレットペーパー収納筒。
【請求項６】
前記収納筒ケースは、可動軸を介して該ケースに連結された可動カバーをさらに有し、前記可動軸には、開閉制御スイッチが設けられ、前記給電システムは、該開閉制御スイッチを介して前記紫外線灯のそれぞれと連結されることを特徴とする請求項１又は２に記載の紫外線全方位殺菌トイレットペーパー収納筒。
【考案の詳細な説明】
【技術分野】
【０００１】
本実用新案は、衛生用品に関し、特にトイレットペーパーの用具に関するもので、具体的に紫外線全方位殺菌トイレットペーパー収納筒に関する。
【背景技術】
【０００２】
現代生活の進展につれ、生活の品質に対する人々の要求は高まりつつある。その最も顕著な印として、今のトイレには、全てトイレットペーパー（ティッシュペーパー）が用意されている。トイレットペーパーは汚物を拭い取ると共に、人の手、顔、恥部等の体の部位と接触するため、通常ハイレベルの衛生基準と雑菌繁殖の防止が必要とされている。従って、トイレットペーパーの全面的な消毒と殺菌とは、言うまでもなく非常に重要である。
【０００３】
しかし、今の環境において、トイレは一般的に湿っぽくて暗いので雑菌が生じやすく、且つ、空気の中にも大量の雑菌が存在するため、トイレットペーパーの衛生と無菌状態を保持するのがかなり難しい。それで、従来、内部に紫外線灯を装着して、この紫外線灯の照射によって収装されたトイレットペーパーに対して殺菌する目的を達するトイレットペーパー用収納筒が知られている。しかし、トイレットペーパー自身は通常円柱形または角形であるため、ただ一般の紫外線灯のみによっては多くの部位を直接照射できないため、殺菌に効果のない大きな領域が生じる。よって、殺菌の効果に悪影響を及ぼし、人々の生活に多くの不便を与えている。
【考案の開示】
【考案が解決しようとする課題】
【０００４】
本考案は、上記の問題点を解決するためになされたもので、トイレットペーパーに対して充分な殺菌と消毒を行い、衛生的状態を維持でき、且つ構造が簡単で、使用上便利且つ安全性及び信頼性を備える、広く適用できる紫外線全方位殺菌トイレットペーパー収納筒を提供することが目的とされている。
【課題を解決するための手段】
【０００５】
上記目的を実現するため、本考案にかかる紫外線全方位殺菌トイレットペーパー収納筒は、以下の構造を有する。
【０００６】
即ち、収納筒ケースとその内部に設けられた収納筒軸とを有する紫外線全方位殺菌トイレットペーパー収納筒であって、該トイレットペーパー収納筒は、さらに給電システムを有し、前記収納筒ケースの内側の周面には、複数の紫外線灯が均一な間隔でリング状に並べられ、前記紫外線灯のそれぞれは、該給電システムに連結されることを特徴とする。
【０００７】
また、前記紫外線灯は、紫外線チューブ、紫外線バルブ、紫外線ダイオードのうちのいずれかである。
【０００８】
また、該紫外線全方位殺菌トイレットペーパー収納筒の前記紫外線灯のそれぞれの後側には、反射体が設けられる。
【０００９】
また、該紫外線全方位殺菌トイレットペーパー収納筒の前記反射体は、アルミニウム箔又はアルミニウムフィルムからなる。
【００１０】
また、該紫外線全方位殺菌トイレットペーパー収納筒の前記給電システムは、交流電源、バッテリまたは太陽エネルギーである。
【００１１】
また、該紫外線全方位殺菌トイレットペーパー収納筒の前記収納筒ケースは、可動軸を介して該ケースに連結された可動カバーをさらに有し、前記可動軸には、開閉制御スイッチが設けられ、前記給電システムは、該開閉制御スイッチを介して前記紫外線灯のそれぞれと連結される。
【考案の効果】
【００１２】
本考案にかかる紫外線全方位殺菌トイレットペーパー収納筒によれば、収納筒ケースの内側の円周に紫外線灯が均一な間隔でリング状に並べられていると共に、紫外線灯それぞれの後側に反射体が設けられているため、収納筒内部に収装されたトイレットペーパーの表面が紫外線により充分に照射され、殺菌効果がよい。且つ、紫外線自体が発生される熱によって、トイレットペーパーが比較的高い温度にさらされるためその湿気が下がり、いつでも乾燥状態を維持でき、雑菌の生じる機会を減少させる。同時に、移動式トイレットペーパー収納筒について、その可動カバー部位にさらに開閉制御スイッチが設けられ、ユーザーが可動カバーを開いた時、紫外線灯はこのスイッチの制御によって消灯するため、紫外線が外に漏れて人を傷つけることを防止できる。従って、その使用は安全で信頼できる。さらに、該トイレットペーパー収納筒の給電システムは、交流電源又はバッテリ又は太陽エネルギーを用いたため、適用範囲が広く、且つ構造が簡単で、製造コストが低く、使用上便利で、人々の使用を便宜させ、健康を保障できる。
【考案を実施するための最良の形態】
【００１３】
本考案の技術的内容をさらに明確に理解できるように、以下の実施例を用いて具体的に説明する。
【実施例１】
【００１４】
該紫外線全方位殺菌トイレットペーパー収納筒は、図１〜図７に示したように、収納筒ケース１とその内部に設けられた収納筒軸２とを有し、前記収納筒ケース１の内側の円周面には、複数の紫外線灯３が均一な間隔でリング状に並べられ、該紫外線灯３は、紫外線チューブや紫外線バルブや紫外線ダイオード（Ultra Violet  ＬＥＤ）のような紫外線を発生できるものであればよい。本実施例において、紫外線チューブを採用する。同時に、紫外線灯のそれぞれの後側には、反射体が設けられる。該反射体は、アルミニウム箔、アルミニウムフィルムからなってもよく、その他の反射体から形成されてもよい。該反射体は、紫外線を効率よく反射及び散乱し、トイレットペーパー６に対する照射強度を向上させる機能を有する。前記トイレットペーパー収納筒はさらに給電システムを備え、各紫外線灯３は該給電システムにそれぞれ連結される。該給電システムは交流電源、バッテリ、太陽エネルギーであっても良く、多様な工作環境に適用する。
【００１５】
また、収納筒１ケースの内側の円周面は、平面又は弧面であるため、図４と図５において、それぞれ平面の場合と弧面の場合において各紫外線灯管３の配列形態を示す。
【００１６】
また、紫外線全方位殺菌移動式トイレットペーパー収納筒について、該収納筒ケース１はさらに可動軸４を介して該ケース１に接続される可動カバー５を有すると共に、前記可動軸４に開閉制御スイッチを備え、前記給電システムは該開閉制御スイッチを介して前記各紫外線灯３に接続される。ユーザーが該可動カバー５を開くと、紫外線灯３は開閉制御スイッチの制御によって即時に完全に消灯するため、紫外線が人の目に照射するのを防止でき、使用上の安全性を確実に保障できる。
【００１７】
従って、上記紫外線全方位殺菌トイレットペーパー収納筒によれば、トイレットペーパー収納筒ケース１の内側の円周面に紫外線灯３を均一間隔でリング状に配列すると共に、該紫外線灯３の後側にそれぞれ反射体を設けるため、収装されたトイレットペーパー６が円形であろうと角形であろうと、その表面は１００％の充分な紫外線照射を受けられるため、殺菌効果がよい。且つ、紫外線自体から発生される熱によって、トイレットペーパー６が比較的高い温度にさらされるため、その湿気が下がり、いつでも乾燥状態に維持でき、雑菌の生じる機会を減少できる。
【００１８】
本考案では、移動式及び固定式紫外線全方位殺菌トイレットペーパー収納筒について、その可動カバー５の部位にさらに開閉制御スイッチを設けて、可動カバー５が開かれた時、紫外線灯３はそのスイッチの制御によってすぐ消灯するため、紫外線が外に漏れて人を傷つけるのを防止できる。従って、使用上の安全性が確実に保障できる。
【００１９】
さらに、該トイレットペーパー収納筒の給電システムとして、交流電源又はバッテリを採用するため、多様な状況に適用できる。且つ、突然の停電などの故障が発生するとしても、該バッテリをスタンバイ電源として用いられるため、適用範囲が非常に広い。また、本考案は構造が簡単で、使用も便利であるため、人々の生活品質を大いに向上させると共に、健康を保障できる。
【００２０】
以上、特定な実施例を参照しながら本考案の詳細な説明をしたが、本考案の精神と範囲を逸脱することなく種々の補正と変更を行うことが可能であるが言うまでもない。従って、明細書と図面はあくまでも本考案の内容を明らかにするものであって、制限するものではない。
【図面の簡単な説明】
【００２１】
【図１】（ａ）、（ｂ）は本考案の紫外線全方位殺菌固定式トイレットペーパー収納筒の側面断面図である。
【図２】本考案の紫外線全方位殺菌移動式トイレットペーパー収納筒の可動カバーが開けられた状態の側面断面図である。
【図３】本考案の紫外線全方位殺菌移動式トイレットペーパー収納筒の可動カバーが閉じられた状態の側面断面図である。
【図４】本考案の紫外線全方位殺菌トイレットペーパー収納筒における紫外線灯の平面的な配列を示す図である。
【図５】本考案の紫外線全方位殺菌トイレットペーパー収納筒における紫外線灯の弧面的な配列を示す図である。
【図６】本考案の紫外線全方位殺菌トイレットペーパー収納筒における円形トイレットペーパーの受光効果を示す図である。
【図７】本考案の紫外線全方位殺菌トイレットペーパー収納筒における正方形トイレットペーパーの受光効果を示す図である。
【符号の説明】
【００２２】
１  トイレットペーパー収納筒ケース
２  収納筒軸
３  紫外線灯
４  可動軸
５  可動カバー
６  トイレットペーパー
【図１】
0003146285.tif 000003
【図２】
0003146285.tif 000004
【図３】
0003146285.tif 000005
【図４】
0003146285.tif 000006
【図５】
0003146285.tif 000007
【図６】
0003146285.tif 000008
【図７】
0003146285.tif 000009